(57)【要約】前面に前部レンズと、後面に受光素子と、上記前部レンズと上記受光素子の間に、上記受光素子の少なくとも２つの対向する側面に沿って傾斜した側壁を有する反射鏡とを備える太陽光集光装置モジュールであって、上記反射鏡は短縮されており、上記反射鏡の上記側壁は、０°のオフポインティングの場合、太陽光線が上記受光素子に衝突する前に上記反射鏡の上記傾斜した側壁に反射するように傾斜して、０°より大きいオフポインティング受光角度の範囲で上記受光素子の比較的均一な照射を行うようにすることを特徴とする、太陽光集光装置モジュール。
2004527137.tif 000002
【特許請求の範囲】
【請求項１】
前面に前部レンズと、
後面に受光素子と、
前記前部レンズと前記受光素子の間に、前記受光素子の少なくとも２つの対向する側面に沿って傾斜した側壁を有する反射鏡と
を備える太陽光集光装置モジュールであって、
前記反射鏡は短縮されており、前記反射鏡の前記側壁は、０°のオフポインティングの場合、太陽光線が前記受光素子に衝突する前に前記反射鏡の前記傾斜した側壁に反射するように傾斜して、０°より大きいオフポインティング受光角度の範囲で前記受光素子の比較的均一な照射を行うようにすることを特徴とする太陽光集光装置モジュール。
【請求項２】
前記傾斜した側壁は平坦であることを特徴とする請求項１記載の太陽光集光装置モジュール。
【請求項３】
前記レンズはフレネルレンズであることを特徴とする請求項１または２記載の太陽光集光装置モジュール。
【請求項４】
前記受光素子は細長い形状であり、前記側壁は、前記受光素子の２つの長手方向の側面に少なくとも沿って配置されることを特徴とする請求項１ないし３のいずれか一項記載の太陽光集光装置モジュール。
【請求項５】
前記受光素子はＰＶ太陽電池からできていることを特徴とする請求項１ないし４のいずれか一項記載の太陽光集光装置モジュール。
【請求項６】
中心部に平坦かつ垂直な反射鏡をさらに備えることを特徴とする請求項１ないし５のいずれか一項記載の太陽光集光装置モジュール。
【請求項７】
前記レンズの焦点距離Ｆに対する前記集光装置の高さＨの比率は、０．６〜０．９、より詳細には０．６〜０．８８、好ましくは０．７〜０．８であることを特徴とする請求項１ないし６のいずれか一項記載の太陽光集光装置モジュール。
【請求項８】
前記レンズの幅Ｄに対する前記焦点距離Ｆの比率は、０．７５〜１．１、より詳細には０．８５〜１であることを特徴とする請求項７記載の太陽光集光装置モジュール。
【請求項９】
前記レンズの曲率は、前記受光素子の照射の均一性を最大にするために、０〜−３、好ましくは−０．５〜−２．５から選択される円錐定数ＣＣを有することを特徴とする請求項７または８記載の太陽光集光装置モジュール。
【請求項１０】
太陽電池パネルの法線に対する前記側壁の平均傾斜度βは、２５°〜４０°、好ましくは３０°〜３５°であることを特徴とする請求項１ないし９のいずれか一項記載の太陽光集光装置モジュール。
【請求項１１】
請求項１ないし１０のいずれか一項記載の太陽光集光装置モジュールを複数備える太陽光集光装置。
【請求項１２】
前記太陽光集光装置モジュール間に平坦な補強材をさらに含むことを特徴とする請求項１１に記載の太陽光集光装置。
【発明の詳細な説明】
【技術分野】
【０００１】
本発明は、太陽光集光装置モジュールに関する。また、本発明は、複数の太陽光集光装置モジュールを備える太陽光集光装置およびかかるモジュールを組み立てる方法に関する。本発明は、特に宇宙環境に適しているが、地上の用途への適合は制限されない。
【０００２】
太陽電池への太陽光の集光率を向上させるための太陽光集光装置について、多くの研究が行われている。M. CollaresおよびPereiraはApplied Optics 16(10), 2677(1977)において、最大集光率を有するレンズと鏡の組み合わせを記載している。CollaresおよびPereiraの設計は、反射レンズと反射鏡との組み合わせを含む。レンズすなわちフレネルレンズの焦点に収束する放射線は、適当な鏡を用いてさらに集光（concentrate：収集）することができる。Collaresの集光装置では、開口部において最大入射角度を有する光線（extreme incident rays）が吸収器においても最大角度の光線であることが必要である。この集光装置は、その受光角度と、最大角度の光線が１度しか反射しないという要件により確定される。したがって、最大角度の光線はまずレンズにより屈折し、次に鏡に反射する。
【０００３】
CollaresおよびPereiraの設計は、理想的な非結像集光装置に基づいている。これは、かかる非結像集光装置が、幾何学パラメータ間の数学的関係を発展させて、所望のオフポインティング（off-pointing：位置ずれ）受光角度（α）について最高の集光係数（Ｃ）に達するようにしたことを意味し、
一次元集光装置の場合、Ｃ＝１／ｓｉｎ（α）
二次元集光装置の場合、Ｃ＝１／ｓｉｎ2（α）
となる。このタイプの集光装置は、受光角度の限界（＋αおよび−α）内で非常に効率の高い（１００％に近い）光の捕集を得る。太陽電池への照射の均一性には注意が払われていない。したがって、捕集効率は１００％であるが、電池はホットスポットから保護されない。一方、捕集は受光角度（α）の限界から急速に０まで下がる。
【０００４】
このようなホットスポットは、大きい集光係数を有する集光装置の過熱問題ももたらす。その結果、太陽電池の性能は高温では著しく低下する。
【０００５】
受光素子への均一な照射を可能にする集光装置を提供することが、本発明の様々な目的のうちの１つである。集光装置の短縮（truncation：切断）により、受光素子へのより均一な照射が得られるとともに、集光装置の厚さが低減することが判明した。
【０００６】
本発明による太陽光集光装置モジュールは、その前面にレンズと、その後面に受光素子とを備える。各受光素子は、前部レンズと受光素子の間に延びる短縮された反射鏡によって少なくとも部分的に包囲されており（例えば、集光装置の高さＨは、レンズの焦点距離Ｆより短い）、反射鏡の側壁は、０°のオフポインティングの場合、太陽光線が受光器に衝突する前に反射鏡の傾斜した側壁に反射することにより、０°より大きい（たとえば０°〜３°またはそれ以上の）オフポインティング受光角度の範囲で受光素子への比較的均一な照射が行われるように傾斜している。受光素子の比較的均一な照射により、電池を劣化させる可能性の高いいかなるホットスポットも回避されることが意味される。
【０００７】
短縮の最適化は、分析的または数学的な関係に基づいていない。短縮係数を求める最良の方法は、光線追跡ソフトウェアを用いて、幾何学的形状を繰り返し修正することである。したがって、短縮係数、レンズの焦点距離（Ｆ）、および最終的にはレンズの円錐定数（ＣＣ）を漸増させると、受光素子（例えば太陽電池）の照射の均一性を示している最適値を求めることができる。集光装置は、一方向（線形集光装置）または両方向で機能することができる。簡単に理解できるように、以下の数学的関係式は一方向の場合で表す。
【０００８】
受光素子の幅（Ｗ）は、以下の数式によりレンズの幅（Ｄ）と関連付けられる。
Ｃ＝Ｄ／Ｗ（式中、Ｃは集光係数）
【０００９】
レンズの焦点距離（Ｆ）は、短縮可能範囲内の集光装置の高さ（Ｈ）と、０．６Ｆ＜Ｈ＜０．９Ｆ、より詳細には０．６Ｆ＜Ｈ＜０．８８Ｆ、および０．７Ｆ＜Ｈ＜０．８Ｆという関係である。レンズは平坦であってもよく、湾曲していてもよい。
【００１０】
レンズの焦点距離（Ｆ）とレンズの幅（Ｄ）との比は、０．７５＜Ｆ／Ｄ＜１．１、より詳細には０．８５＜Ｆ／Ｄ＜１の範囲である。
【００１１】
レンズと受光素子との間で機能する反射鏡は、以下の範囲、２５°＜β＜４０°、より詳細には３０°＜β＜３５°を証明するような幾何学的形状で配向されており、ここで、βは、太陽電池パネル（solar panel）の法線に対する反射鏡の側壁の平均傾斜度（平面反射鏡の正確な傾斜度）である（図６を参照）。
【００１２】
集光装置の高さ（Ｈ）、レンズの幅（Ｄ）、および受光器の幅（Ｗ）により、反射鏡の傾斜度（β）を求めることができる。
（Ｄ−Ｗ）／２Ｈ＝Ｔａｎ（β）
【００１３】
反射鏡の幅（ＲＷ）は、以下のように、集光装置の高さおよび傾斜度βから直接推定される。
ＲＷ＝Ｈ／Ｃｏｓ（β）
レンズ曲率の円錐定数ＣＣは、−３＜ＣＣ≦０、より詳細には−３＜ＣＣ＜０、および−２．５＜ＣＣ＜−５の範囲であり得る。ここで、既知のように、ＣＣ＝０の場合は球面状、ＣＣ＝−１の場合は方物面状、ＣＣ＜−１の場合は双曲面状を満たすようにＣＣが定義される。集光装置モジュールの各幾何学的形状ごとに、受光素子の最大の照射均一性を確保する円錐定数ＣＣの最適値がある。
【００１４】
本発明は、集光装置を短縮するため、Collares他と同一の数学的関係にこれ以上従わない。角度の限界におけるカットオフは急激ではない。捕集効率はカットオフ前に低下しつつある（これが唯一の欠点である）。照射は比較的均一であり続けるように最適化することができる。ホットスポットは存在しない。これは、集光下でＰＶ電池が長持ちすること、および電池のより高い効率を保証する重要な改良点である。
【００１５】
本発明による集光装置は、１軸または２軸での集光によく適しているという利点を有する。集光装置係数（Ｃ）は、各軸で２〜１０の範囲であり得るが、より大きい集光範囲でも制限は課されない。宇宙での用途の要件は、損失およびホットスポットを伴わずに追尾軸で２〜３°の受光であるため、本発明はその目的にまさに適している。非追尾軸では、いかなる太陽電池パネルも、著しい損失を伴わずに季節による変化（約２３．５°）に適応せねばならない。このことにより、集光率は非追尾軸では小さい値に制限される。実施形態のうちの１つでは、関連軸ではいかなる集光も行われない。しかしながら、本発明は、非追尾軸での低い集光率（＜２．５：１）、および追尾軸での中程度の集光率（＜１５：１）に十分適合する。この幾何学的形状は、宇宙機の太陽電池パネルの目下の要件に完全に適合する。
【００１６】
反射鏡の短縮による太陽光集光装置の全体的な厚さの低減もまた、本発明の主な利点である。例えば、好適な実施形態では、厚さは従来技術と比較して１５％低減する。このような低減は、宇宙用太陽電池パネル技術を促進させる物理的パラメータである太陽電池パネルの体積および重量に影響を与える。さらに、本モジュールは、前部レンズ、側壁、および受光素子のみを備えており、受光素子に光線を集めるための付加的な後部レンズ等のいかなる付加的な光学要素も使用しない。
【００１７】
本発明による受光素子は、例えば光電池等の太陽電池であるが、いかなるタイプの吸光器すなわち受光器であってもよい。受光素子は通常、主支持面（付加的な電気絶縁層を有するＣＦＲＰまたはその他）に取り付けられており、その裏側は、太陽の方向とは逆の低温空間に直接向いている。この構成では、電池は太陽熱を低温空間に引き寄せる効率的なヒートシンクに直接取り付けられる。
【００１８】
放熱面（放熱ヒートシンク）がハニカムサンドイッチ構造の裏側に位置付けられる場合に通常存在するような中間熱経路はない。実際には、冷却放熱面（ヒートシンク）は、放熱面が比較的小さいかまたは電池の領域に限られている構成よりも良好に電池の温度を和らげる傾向がある捕集面と同等のものである。
【００１９】
本発明による反射鏡は概して、薄い軽量の材料からできた鏡である。例えば、ＡＬ、ＣＣＦＲＰ、Ｎｉである。この鏡は、Ａｌ、Ａｇ、またはＡｕ等の反射コーティングでコーティングすることができる。好適な実施形態では、反射鏡は、ＡｇでコーティングされたＡｌからできている。Ａｇコーティングは、宇宙環境の場合、ＳｉＯ2、ＴｉＯ2、またはＭｇＦ2により保護される。ポリイミドの薄膜等の他の軽量材料を用いることもできる。反射鏡は平坦であっても湾曲していてもよい。反射鏡自体は、主支持面に連結され得る。反射鏡は、受光素子の温度を下げるためにヒートシンクの一部であり得る。したがって、反射鏡は、電池の過熱を減らす冷却ヒートシンクを設ける。反射鏡は、パネルの機械構造の一部であってもよい。反射鏡は、ハニカム状等のセル状の機械的構造の一部である。
【００２０】
本発明によるレンズは、好ましくはフレネルレンズである。レンズの形状は平坦であっても湾曲していてもよい。レンズの光学関数は、非球面曲率（方物面状または楕円状に対する円錐定数）を含み得る。レンズは機械構造の一部であってもよい。レンズは、セル状構造の光学表面板等の機械構造の一部であってもよい。
【００２１】
電気的なハードウェア（例えばケーブル）を、通常のような太陽電池パネルの太陽に対蹠する側ではなく、反射鏡の背後に取り付けることができる。このような取り付けにより、ハーネスのない放熱ヒートシンク面が可能になり、効果的な放熱領域および冷却効率が改善される傾向がある。
【００２２】
好適な実施形態では、集光装置モジュールはまた、モジュールの中心部に平坦かつ垂直な反射鏡を含む。このような構成により、太陽光集光措置の機械構造が改善される。両方向の集光が用いられる場合、第2の平坦かつ垂直な反射鏡を追加することができる。
【００２３】
本発明は、複数のモジュールを備える太陽光集光装置および当該モジュールを組み立てる方法も含む。
【００２４】
モジュールは機械的手段（例えば、限定はされないが電子ビーム溶接）により、または接着剤により互いに接合することができる。モジュールはまた、反射鏡に関する限りは単一の部品から直接製造することができ、金属板の直接的なエンボス加工か、または電鋳を用いることができる。太陽電池は、後板に接着することにより固定してもよく、または反射鏡の壁に直接クランプしてもよい。後板は通常、反射鏡のサブアセンブリの裏側に接着されたＣＦＲＰの薄板であり、その放射特性は高放射率コーティング（…等）により高めることができる。後板の放射特性は、黒のコーティングを施したハニカムを加えることにより向上させることができる。
【００２５】
光学表面板（レンズ）は、単一の部品からできていてもよく、または各集光装置モジュールに直接固定されたモザイク状の部分的な表面板から組み立てられてもよい。表面板が単一の部品からできている場合、表面板は太陽電池パネルの縁に、およびモジュールの縁に接着または機械的手段により固定されて、パネル全体の補強材の役割を果たす。表面板は透明材料（薄いガラス、シリコーン、ポリマー等）からできているため、太陽の入射光束をごくわずかにしか吸収しない。その結果、表面板の温度は反射鏡およびＰＶ電池の温度よりも低い。太陽および日食状態（eclipse mode）に適応するために、材料の選択（熱膨張係数「ＣＴＥ」整合および弾性）およびアセンブリ技法により、熱差動（thermal differential）による変形が制御される。
【００２６】
好適な実施形態では、表面板は延伸可能なシリコーンのフレネルレンズからできている。その張力は、高温（太陽照射）の場合に良好な光学的および構造的挙動を確保するように計算される。シリコーンの非常に高いＣＴＥ（約３００μｍ／ｍ／ｄｅｇ）は、ＰＶ電池および反射鏡の構造と比較して、高温から低温（日食）の場合の範囲のより低い温度によって部分的に補償される。
【００２７】
別の実施形態では、表面板は、熱機械応力を回避するために、集光装置モジュールの縁から離れている。表面板は、適合機構（例えば、ばね）を用いて太陽電池パネルの縁のみに取り付けられて、パネル構造に関して光学表面板の熱差動による膨張に適応する。この実施形態は、プラスチックまたはガラス材料のような硬質の表面板に特に適している。
【００２８】
本発明をより明確にすることができるように、次に、本発明による２つの例の詳細な説明を続ける。これらの例は、図１の従来技術と比較される。
【００２９】
図１では、集光装置は、受光角度の限界（＋αおよび−α）内で非常に効率の高い（１００％に近い）光の捕集を得る。０°のオフポインティングで、光線は、反射鏡の傾斜した側壁に反射されることなく検出器に収束する。太陽電池の照射の均一性には注意が払われていない。したがって、捕集効率は１００％であるが、電池はホットスポットから保護されていない。一方、捕集は受光角度αの限界から急速に０まで下がる。
【００３０】
本発明による図２では、照射は比較的均一であり続けるように最適化される。ホットスポットは存在しない。図２Ａからわかるように、０°のオフポインティングで、光線は反射鏡の傾斜した側壁に反射した後に反射鏡に収束するが、電池の中央領域に位置する光線はそうではなく、検出器に直接衝突する。
【００３１】
ＰＶ電池の幅は５ｍｍ（Ｗ＝５ｍｍ）であり、モジュールの幅は４０ｍｍ（Ｄ＝４０）である。幾何学的集光係数は８ｘである。レンズの焦点距離は３７．２ｍｍである。レンズの円錐定数ＣＣは−１．７である（Collares、Pereira他の０ではない）。レンズは平坦なフレネルレンズであり、これは、１ｍｍあたり５マイクロプリズムでフレネルレンズをエッチングした後に磨いたものである。
【００３２】
モジュールの高さすなわち厚さは２８ｍｍである。CollaresおよびPereira他の設計によると、厚さＨは３３．１ｍｍでなければならない。２８ｍｍへの短縮は、太陽光が太陽電池パネルに対して完全に垂直ではない（オフポインティングが生じる）場合であっても光束を均一にする最適化に基づいている。これは、本発明による主な改良点である。集光装置の法線に関する反射鏡の傾斜は、CollaresおよびPereiraの理論による２７．９°ではなく、β＝３２°の高さ低減により修正される。
【００３３】
図２は、オフポインティングが生じる場合の好適な実施形態の挙動を示す。光線追跡により、光線がどのように結合されて、０°、１．５°、３°、および５°のオフポインティングの場合に照射の均一性を保つのかが示される。ＰＶ電池に対する光束プロファイルの厳密な計算が提案される（３°のオフポインティング）。集光装置の受光角度は、太陽の用途に十分であるほど高い（追尾軸で３．５°のオフポインティングまで損失がなく、５°のオフポインティングで１５％の損失）。最大と考えられる５°のオフポインティング（図２Ｃ）の場合、一方の側（図面の左側）の光線はそれに対応する側壁には反射しないが、他方の側（図２Ｃの右側）に反射する。
【００３４】
例示される実施形態では、５°のオフポインティング角の場合の性能は、従来技術の３°のオフポインティング角（図１Ｂ）の場合の性能と同じであるが、角度が３°の場合、光束の再分割は、従来技術（図１Ｂおよび図１Ｃ）よりも本発明（図２Ｄおよび図２Ｅ）の方がはるかに良好である。
【００３５】
従来技術（図１）との比較が、この利点の明らかな証拠である。８°の受光角度の場合でさえも（８°まで損失がない）、従来技術は、オフポインティングが生じるとすぐに非常に低い均一性を示す。
【００３６】
好適な実施形態の構造は、このような集光係数を有する他の集光装置に固有の過熱問題を軽減するためにも決定される。
【００３７】
既知の太陽電池の性能は高温では著しく低下するため、より高いＰＶ効率を保つためにＰＶ電池の温度を低くするという解決策を用いる傾向がある。
【００３８】
図３では、パネルの構造的設計を助けるために、側壁反射鏡が集光装置モジュールの中央に含まれている。この図で報告されるように、照射の均一性は乱されない。
【００３９】
別の実施形態では、主支持面が使用されておらず、反射鏡自体が支持構造として（ハニカムサンドイッチ構造で通常用いられるように）用いられ、反射鏡自体の剛性が太陽電池パネル全体に与えられる。この実施形態では、限定はされないが、補強材が太陽電池と太陽の間の領域に位置付けられず、反射面の下に組み込まれるように、反射鏡の壁間等にいくつかの付加的な補強材を加えることができる（図３）。パネルの補強手段として前面も用いることができる。
【００４０】
図５Ｄは、２軸での集光の好適な実施形態を示す。補強材は、図４と同じ幾何学的形状を用いる。前部レンズおよび反射鏡は、２軸で集光を行うようになっている。各サブモジュールは、４つの傾斜した反射鏡、レンズ、受光器、およびオプションの補強材でできている。図５Ｄでは、補強材の間に、受光器の光分布を低下させることなく受光器の上部に配置される交差した反射側壁（オプション）が示される。垂直な補強材／反射鏡は、第２の軸での集光に特有である。
【図面の簡単な説明】
【００４１】
【図１】従来技術の、CollaresおよびPereiraのレンズおよび太陽光集光用の反射鏡による組み合わせの図である。図１（Ａ）は、太陽追尾誤差がない理想的な場合の光線追跡図（オフポインティング角＝０°）である。図１（Ｂ）は、３°のオフポインティングがある同様の光線追跡図である。図１（Ｃ）は、太陽電池上の光束分布結果である。
【図２Ａ】好適な実施形態による本発明の太陽光集光装置における太陽追尾誤差がない理想的な場合の光線追跡図（オフポインティング角＝０°）である。
【図２Ｂ】好適な実施形態による本発明の太陽光集光装置における１．５°のオフポインティングがある同様の光線追跡図である。
【図２Ｃ】好適な実施形態による本発明の太陽光集光装置における捕集損失を示す５°のオフポインティングがある同様の光線追跡図である。
【図２Ｄ】好適な実施形態による本発明の太陽光集光装置における３°のオフポインティングがある同様の光線追跡図である。
【図２Ｅ】好適な実施形態による本発明の太陽光集光装置における太陽電池上の光束分布結果である。
【図３】剛性を増すために集光装置モジュールの中央に側壁反射鏡を含む他の好適な実施形態での本発明の太陽光集光装置の図である。図３（Ａ）は、３°のオフポインティングがある光線追跡図を示す。図３（Ｂ）は、太陽電池上の光束分布結果を示す。
【図４】剛性を増すために集光装置モジュールの中央に側壁反射鏡を、かつ反射鏡の下に側壁を含む他の好適な実施形態での本発明の太陽光集光装置の図である。
【図５Ａ】反射鏡および補強材を３Ｄモデルで示す本発明の実施形態である。前面のレンズおよび後面の基板を明確化のために示す。図２に示す実施形態の３Ｄ幾何学形状である。
【図５Ｂ】反射鏡および補強材を３Ｄモデルで示す本発明の実施形態である。前面のレンズおよび後面の基板を明確化のために示す。剛性を増すために側壁が反射鏡の下に加えられた、図２に示す実施形態の３Ｄ幾何学形状である。
【図５Ｃ】反射鏡および補強材を３Ｄモデルで示す本発明の実施形態である。前面のレンズおよび後面の基板を明確化のために示す。集光装置モジュールの中央に側壁反射鏡を、かつ反射鏡の下に側壁を有する、図４に示す実施形態の３Ｄ幾何学形状である。
【図５Ｄ】反射鏡および補強材を３Ｄモデルで示す本発明の実施形態である。前面のレンズおよび後面の基板を明確化のために示す。図５Ｃと同様の形状ではあるが、垂直方向のさらなる反射鏡／補強材により、他方の軸に低い集光率が加えられる（二方向集光）。
【図６】本発明による一モジュールの形状である。
【図１】
2004527137.tif 000003
【図２Ａ】
2004527137.tif 000004
【図２Ｂ】
2004527137.tif 000005
【図２Ｃ】
2004527137.tif 000006
【図２Ｄ】
2004527137.tif 000007
【図２Ｅ】
2004527137.tif 000008
【図３】
2004527137.tif 000009
【図４】
2004527137.tif 000010
【図５Ａ】
2004527137.tif 000011
【図５Ｂ】
2004527137.tif 000012
【図５Ｃ】
2004527137.tif 000013
【図５Ｄ】
2004527137.tif 000014
【図６】
2004527137.tif 000015
【国際公開パンフレット】
2004527137.tif 000016
2004527137.tif 000017
2004527137.tif 000018
2004527137.tif 000019
2004527137.tif 000020
2004527137.tif 000021
2004527137.tif 000022
2004527137.tif 000023
2004527137.tif 000024
2004527137.tif 000025
2004527137.tif 000026
2004527137.tif 000027
2004527137.tif 000028
2004527137.tif 000029
2004527137.tif 000030
2004527137.tif 000031
2004527137.tif 000032
2004527137.tif 000033
2004527137.tif 000034
2004527137.tif 000035
2004527137.tif 000036
2004527137.tif 000037
2004527137.tif 000038
【国際調査報告】
2004527137.tif 000039
2004527137.tif 000040
2004527137.tif 000041